(57)【要約】【課題】 コードレスの組合せ式静電除去器を提供する。【解決手段】主にコードレスの組合せ式静電除去器はコロナ放電ユニットの固定台片側に高圧導電電極及び受領導電電極を固定設置し、該高圧導電電極と該受領導電電極は端子ピンを延伸設置し、該端子ピンは該高低圧電源入出力ユニットの回路板の孔位上に挿入設置する。該高低圧電源入出力ユニットの回路板片側には１本以上の制御端子を設置し、該制御端子は該中央制御ユニットの回路板上に固設する連結台と挿入接続し組み合わせる。該高圧導電電極の端子ピン、該受領導電電極の端子ピン、該高低圧電源入出力ユニットの回路板の制御端子、該中央制御ユニットの回路板の連結台を利用し、公知の静電除去器の組み立てが不便で、引っ張りにより接触不良を招き易い連接リード線に取って代り、生産の難易度を低下させ、製品の信頼性を向上させる目的を達成する。【選択図】図３
0003123864.tif 000002
【実用新案登録請求の範囲】
【請求項１】
主にコロナ放電ユニット、高低圧電源入出力ユニット、中央制御ユニットを含み、
該コロナ放電ユニットは、該高低圧電源入出力ユニットの上端に設置し、該コロナ放電ユニットには固定台を設置し、該固定台片側面には２個以上の組合せ設置槽を設置し、該組合せ設置槽には端子ピンを具えた高圧導電電極を設置し、端子ピンを具えた受領導電電極と共に設置してなり、
該高低圧電源入出力ユニットは、回路板を設置し、該回路板は１本以上の制御端子及び１個以上の孔位を設置してなり、
該孔位は、該高圧導電電極が延伸、設置する端子ピンと該受領導電電極が延伸、設置する端子ピンを挿入、設置し、組合せてなり、
該中央制御ユニットは、該高低圧電源入出力ユニットの下端に設置し、該回路板を設置し、該回路板には連結台を設置し、該連結台は該高低圧電源入出力ユニットの回路板が設置する制御端子を挿入、接続し組み合わせてなることを特徴とするコードレスの組合せ式静電除去器。
【請求項２】
前記固定台は、放電針及び受領電極を設置し組み立ててなることを特徴とする請求項１記載のコードレスの組合せ式静電除去器。
【請求項３】
前記高低圧電源入出力ユニットには回路板を設置し、該回路板上には入出力端子及び圧電変圧器を固設してなることを特徴とする請求項１記載のコードレスの組合せ式静電除去器。
【考案の詳細な説明】
【技術分野】
【０００１】
本考案は一種のコードレスの組合せ式静電除去器に関する。特に一種の生産コストと生産の難易度を低下させ、製品の信頼性を高める構造であるコードレスの組合せ式静電除去器に係る。
【背景技術】
【０００２】
図１、２に示すように、公知の静電除去器1は主に電源及び信号入出力ユニット11、主制御回路ユニット12、高電圧変圧器ユニット13、コロナ放電ユニット14により構成する。該公知の静電除去器1は導電性を具えた多くのリード線15を使用し、該電源及び信号入出力ユニット11、該主制御回路ユニット12、該高電圧変圧器ユニット13、該コロナ放電ユニット14間の連接を行うものである。
しかし該電源及び信号入出力ユニット11、該主制御回路ユニット12、該高電圧変圧器ユニット13、該コロナ放電ユニット14間の連接に多くのリード線15を使用するため、しばしば一定の長さを残し設置人員の連接の便を図る必要がある。さらに、該多くのリード線15は組み立ての便を図るため、組み立て前に固定することができず面倒である。しかも、該リード線15は組み立て中における引っ張られ、または挿したり抜いたりという過程において、導電接触不良の問題が発生する。
さらに、公知の静電除去器1は該リード線15を使用し、該高電圧変圧器ユニット13及び該高圧導電電極142を接続し、該リード線15を通して高圧電(数1,000ボルト)を伝送するため、?縁カバーを持つリード線15であっても影響が及んでしまい、付近の電子パーツの感知電界及び磁場に問題を引起す。
【考案の開示】
【考案が解決しようとする課題】
【０００３】
公知構造には以下の欠点があった。
すなわち公知構造はリード線が多過ぎ、組み立てが不便であるばかりか、組み立て中の引っ張りにより導電接触不良を引起し、他の電子パーツに影響を与え、或いは破壊してしまう可能性がある。
本考案は上記構造の問題点を解決したコードレスの組合せ式静電除去器を提供するものである。
【課題を解決するための手段】
【０００４】
上記課題を解決するため、本考案は下記のコードレスの組合せ式静電除去器を提供する。
それは主にコードレスの組合せ式静電除去器を提供し、
該コードレスの組合せ式静電除去器はコロナ放電ユニットの固定台片側、高圧導電電極及び受領導電電極を固定設置し、該高圧導電電極及び受領導電電極は共に端子ピンを延伸、設置し、該端子ピンは該高低圧電源入出力ユニットの回路板の孔位上に挿入、設置され、該高低圧電源入出力ユニットの回路板片側には１本以上の制御端子を設置し、該制御端子は該中央制御ユニットの回路板上に固設される連結台と挿入、接続し組み合わせ、
該高圧導電電極の端子ピン、該受領導電電極の端子ピン、該高低圧電源入出力ユニットの回路板の制御端子、該中央制御ユニットの回路板の連結台を利用し、公知の静電除去器の組み立てが不便で、引っ張りにより接触不良を招き易い連接リード線に取って代り、生産の難易度を低下させ製品の信頼性を向上させ、
さらにその該コロナ放電ユニット、該高低圧電源入出力ユニット、及び該中央制御ユニット等は組み立てに便利なモジュールユニット構造で、設置人員の組み立て効率を大幅に向上させることができ、効果的な増産が可能であることを特徴とするコードレスの組合せ式静電除去器である。
【考案の効果】
【０００５】
上記のように、本考案はリード線がないため組み立てが便利で、迅速に行うことができ、リード線がないためリード線の引っ張りにより接触不良を招くという公知構造の問題点も存在せず、他の電子パーツに影響を与え、或いは破壊する恐れもない。
【考案を実施するための最良の形態】
【０００６】
図３に示すように、本考案が提供するコードレスの組合せ式静電除去器2はコロナ放電ユニット21、高低圧電源入出力ユニット22、中央制御ユニット23を含む。
該コロナ放電ユニット21は高低圧電源入出力ユニット22の上端に設置し、該コロナ放電ユニット21には放電針211、受領電極212、固定台213、高圧導電電極214、受領導電電極215を設置する。
該放電針211は該固定台213上に設置し、該受領電極212は該固定台213上に設置する。該固定台213片側面には２個以上の組合せ設置槽216、217を設置し、該組合せ設置槽216、217は該高圧導電電極214と該受領導電電極215を設置し、該放電針211及び該受領電極212を連接固設する。該高圧導電電極214は端子ピン218、を延伸設置し、該受領導電電極215は端子ピン219を延伸設置する。
該高低圧電源入出力ユニット22は回路板221、入出力端子224、圧電変圧器225、入出力転換回路を設置する。
該回路板221は１本以上の制御端子222、１個以上の孔位223を設置し、該孔位223は該高圧導電電極214が延伸設置する端子ピン218、該受領導電電極215が延伸設置する端子ピン219を挿入設置し組み立てる。該入出力端子224は該回路板221の片側に設置し、該圧電変圧器225は該回路板221の片側に固設する。
該中央制御ユニット23は該高低圧電源入出力ユニット22の下端に設置し、回路板231、連結台232を設置する。該回路板231は発振回路であり、出力を駆動し、フィードバック処理と警報処理を行う演算回路を設置する。
該連結台232は該回路板231の片側上に設置し、該高低圧電源入出力ユニット22の回路板221が設置する制御端子222を挿入、接続し組み合わせる。
【０００７】
さらに図３、４に示すように、該高圧導電電極214の端子ピン218、該受領導電電極215の端子ピン219、該高低圧電源入出力ユニット22の回路板221の制御端子222、該中央制御ユニット23の回路板231の連結台232を利用し、公知の静電除去器の組み立てが不便で、引っ張りにより接触不良を招き易い連接リード線に取って代り、生産の難易度を低下させ、製品の信頼性を向上させる目的を達成する。
また本考案の高低圧電源入出力ユニット22とコロナ放電ユニット21の高電圧区域、及び両者連結の高電圧区域を比較的小さな固定の区域とすることにより、他の電子パーツに接近し、他の電子パーツに影響を与え或いは破壊するという問題の発生を防止することができる。
さらに、本考案のコロナ放電ユニット21、該高低圧電源入出力ユニット22、該中央制御ユニット23等は組み立てに便利なモジュールユニット構造に適しているため、設置人員の組み立て効率を大幅に向上させることができ、効果的な増産が可能である。
【図面の簡単な説明】
【０００８】
【図１】公知の静電除去器の分解指示図である。
【図２】公知の静電除去器の組合せ指示図である。
【図３】本考案の分解指示図である。
【図４】本考案の組合せ指示図である。
【符号の説明】
【０００９】
1  公知の静電除去器   
11  電源及び信号入出力ユニット
12  主制御回路ユニット
13  高電圧変圧器ユニット
14  コロナ放電ユニット
141  固定台
142  高圧導電電極
143  放電針
144  受領電極
15  リード線
2  組合せ式静電除去器
21  コロナ放電ユニット
211  放電針
212  受領電極
213 固定台
214  高圧導電電極
215  受領導電電極
216  組合せ設置槽
217  組合せ設置槽
218  端子ピン
219  端子ピン
22  高低圧電源入出力ユニット
221  回路板
222  制御端子
223  孔位
224  入出力端子
225  圧電変圧器
23  中央制御ユニット
231  回路板
232  連結台
【図１】
0003123864.tif 000003
【図２】
0003123864.tif 000004
【図３】
0003123864.tif 000005
【図４】
0003123864.tif 000006